(57)【要約】【課題】折り畳み式照明器具において、被照射面上の照度を略一定に確保する。【解決手段】折り畳み式照明器具は、発光面２ａを有し、ＬＥＤパネルを内蔵する発光体２と、載せ面４ａを有する本体４と、発光面２ａの傾斜角度を検出する３軸加速度センサと、発光強度を制御する制御部とを備える。制御部はＬＥＤパネルの発光強度を載せ面４ａと発光面２ａとのなす対象角度が直角より小さくなるに連れて小さくするように制御する。例えば、図３（５）に示すように発光面２ａと載せ面４ａが垂直のとき、ＬＥＤパネルの発光強度を最大とし、図３（６）に示すように対象角度が４５度となると、ＬＥＤパネルの発光強度を２分の１に落とす。このような制御により、載せ面と略同じ面上であって、器具の前方を被照射面としたとき、発光面から被照射面までの距離に関わらず被照射面上の照度を一定に確保することができる。【選択図】図３
2010009887.tif 000002
【特許請求の範囲】
【請求項１】
面状の発光面を有する発光体と、
前記発光体を先端側に回動自在に支持するアームと、
前記アームの基端側を回動自在に支持し、該アームを倒したときに前記発光体が載せられる載せ面を有する本体と、を備え、
前記発光体、前記本体の載せ面、及び前記アームが近接配置される折り畳み状態と、前記アームを起こすことにより前記発光体の発光面、及び前記本体の載せ面とが遠隔配置される展開状態とを有する折り畳み式照明器具において、
前記載せ面と前記発光面との成す角度を検出する角度検出手段と、
前記発光体の発光強度を制御する発光制御手段と、を備え、
前記発光制御手段は、前記角度検出手段によって検出された角度が直角より小さくなるに連れて前記発光体の発光強度を小さくするように制御することを特徴とする折り畳み式照明器具。
【発明の詳細な説明】
【技術分野】
【０００１】
本発明は、発光強度の制御が可能な折り畳み式照明器具に関する。
【背景技術】
【０００２】
近年、旅行や出張に出掛ける人は、電車内、航空機内、又はホテル内等において読書や仕事をすることがあり、そのような状況において、すぐに使える自分専用の照明器具を必要とすることがある。
【０００３】
しかしながら、照明スタンド等の従来の照明器具は、ベース部（台座）にフレキシブル性を有する中空状のアームが立設され、このアームの上端に反射傘、ソケット、及び電球が装着されたものである。この種の照明器具は、机上や枕元等の場所に設置して使用することを想定された構成となっている。そのため、この種の照明器具は嵩高く、旅行や出張などの際に、衣服のポケットやカバンに収納して携行するには適しておらず、上述した状況下において使い勝手が悪い。
【０００４】
また、仮に、上記照明器具を旅行や出張などの際に携行したとしても、電車内での設置が不安定である場合や設置する机上のスペースに制約がある場合等により、適切に設置をすることができない場合があるため、使い勝手が悪く実用性に欠ける。
【０００５】
これに対して、折り畳むことによって照明器具のサイズをパスポートや携帯電話並みにコンパクトにできると共に、机上での読書やパソコン作業などで使用する場合には展開することによって照明スタンドとして使用できる折り畳み式照明器具が知られている（例えば、特許文献１参照）。この種の折り畳み式照明器具は、携行する際に折り畳むことによって持ち運びが容易である。
【０００６】
この種の折り畳み式照明器具を図１０（ａ）（ｂ）に示す。折り畳み式照明器具１００は、面状の発光面１０１ａを有する発光体１０１と、アーム１０２と、本体１０３とを備える。照明器具１００は、アーム１０２の一端に本体１０３が回転自在に取り付けられ、アーム１０２の他端に発光体１０１が回転自在に取り付けられている。発光面１０１ａの発光強度は常に一定である。
【０００７】
図１０（ａ）に示すように、サイズの小さい書面Ｂ１に対して光を照射するとき、照明器具１００は、本体１０３に対して発光面１０１ａが鋭角になるような状態で使用されることにより、書面Ｂ１上の被照射面Ｌ１に光を照射する。一方、図１０（ｂ）に示すように、サイズの大きい書面Ｂ２に対して光を照射するとき、照明器具１００は、本体１０３に対して発光面１０１ａを鉛直方向に立てるようにして使用することにより、書面Ｂ２上の被照射面Ｌ２に光を照射する。
【０００８】
被照射面Ｌ１の照度と、被照射面Ｌ２の照度とを比較すると、発光面１０１ａから被照射面Ｌ１までの距離は、発光面１０１ａから被照射面Ｌ２までの距離よりも近いので、被照射面Ｌ１の照度の方が被照射面Ｌ２の照度よりも高い。このように、照明器具１００は、発光面１０１ａから照射面までの距離によって被照射面上の照度が異なるため、被照射面上の照度を一定に保つことができない。また、被照射面上の照度を一定に保つことができないので、使用者によって書面等が読み難く、使用者の目にストレスがかかる。
【特許文献１】実開平３−１２７７１１号公報
【発明の開示】
【発明が解決しようとする課題】
【０００９】
本発明は、上述した問題点を解決するためになされたものであり、発光面を展開して使用するに際し、被照射面上の照度を略一定に確保することができる折り畳み式照明器具を提供することを目的とする。
【課題を解決するための手段】
【００１０】
上記目的を達成するために請求項１の発明は、面状の発光面を有する発光体と、前記発光体を先端側に回動自在に支持するアームと、前記アームの基端側を回動自在に支持し、該アームを倒したときに前記発光体が載せられる載せ面を有する本体と、を備え、前記発光体、前記本体の載せ面、及び前記アームが近接配置される折り畳み状態と、前記アームを起こすことにより前記発光体の発光面、及び前記本体の載せ面とが遠隔配置される展開状態とを有する折り畳み式照明器具において、前記載せ面と前記発光面との成す角度を検出する角度検出手段と、前記発光体の発光強度を制御する発光制御手段と、を備え、前記発光制御手段は、前記角度検出手段によって検出された角度が直角より小さくなるに連れて前記発光体の発光強度を小さくするように制御するものである。
【発明の効果】
【００１１】
本発明によれば、載せ面と発光面との成す角度が直角より小さくなるに連れて発光体の発光強度が小さくなるので、載せ面と略同じ面上であって器具の前方を発光面による被照射面としたとき、発光面から被照射面までの距離が近づくに連れて発光面の発光強度が小さくなる。従って、発光面から被照射面までの距離に関わらず被照射面上の照度を略一定に確保することができる。
【００１２】
また、被照射面上の照度を略一定に確保することができるので、使用者にとって書面等が読みやすく、使用者の目にストレスがかかりにくくなる。また、発光強度を小さくすることができるので、発光体の消費電力を軽減させることができ、使用する電力量を節約することができる。
【発明を実施するための最良の形態】
【００１３】
本発明の一実施形態に係る折り畳み式照明器具について、図１を参照して説明する。図１（ａ）〜（ｄ）は、順に折り畳み式照明器具（以下、照明器具という）１の折り畳み状態から展開状態への変化態様を示す。照明器具１は、面状の発光体２と、この発光体２を支持するアーム３と、このアーム３を支持する本体４と、器具を必要に応じて被服に係止するためのクリップ５と、発光体２の発光面２ａの傾斜角度を検出するための３軸加速度センサ６と、を備える。
【００１４】
発光体２は、面状の薄型光源であるＬＥＤパネル７を内蔵する。発光体２は、アーム３の先端側回動軸（以下、第１の軸という）８の周りに回動自在に支持されている。本体４は、アーム３を倒したときに発光体２が載せられる載せ面４ａを有し、アーム３の基端側回動軸（以下、第２の軸という）９を回動自在に支持している。クリップ５は、その端部５ａが第２の軸９近傍に接合される。使用者は被服のポケットにクリップ５を挟むことにより手狭な場所でも照明器具１を使用することができる。
【００１５】
３軸加速度センサ６は、発光体２の内部、又は発光体２の適宜な部位に配設される。なお、３軸加速度センサ６の代わりに、圧電型加速度センサや、静電容量型加速度センサ等を用いることにより、発光面２ａの傾斜角度を検出してもよい。また、ＬＥＤパネル７の代わりに、有機ＥＬパネルを用いてもよい。
【００１６】
第１の軸８、及び第２の軸９には、適度な制動機構が内蔵されており、照明器具１は、使用者によって発光面２ａやアーム３が回転駆動されることによって、任意の角度で発光面２ａやアーム３を保持することができる。
【００１７】
照明器具１は、折り畳み状態と展開状態を有し、図１（ａ）に示されるように、発光体２を本体４の載せ面４ａに載せることにより発光体２、載せ面２ａ、及びアーム３が近接配置された折り畳み状態となる。このとき、発光面２ａは上方を向く。また、照明器具１は、図１（ｂ）〜（ｄ）に示されるように、アーム３を起こして発光体２を本体４の載せ面４ａから離すことにより発光体２の発光面２ａ、及び本体４の載せ面４ａが遠隔配置された展開状態となる。
【００１８】
照明器具１の折り畳み状態から展開状態への状態変化について説明すると、照明器具１が図１（ａ）に示される折り畳み状態から、図１（ｂ）に示されるように、使用者が第２の軸９を中心としてアーム３を矢印ｍ１方向に起こす。その後、第１の軸８を中心として発光体２を矢印ｍ２方向に回転駆動させると、照明器具１は、図１（ｃ）に示される展開状態となる。使用者が第１の軸８を中心として発光体２を矢印ｍ３方向に回転駆動させると、照明器具１は、図１（ｄ）に示される展開状態となる。このように、照明器具１は、使用者が任意の角度に発光面２ａやアーム３を回転駆動することができる。
【００１９】
次に、照明器具１の内部構成について、図２を参照して説明する。照明器具１は、本体４内に、各種情報が記憶された記憶部４１と、各種演算処理を行う処理部４２と、装置各部の動作を制御する制御部（発光制御手段）４３と、装置各部に電力を供給するための電池（図示せず）とを備える。発光体２内には、３軸加速度センサ６、及びＬＥＤパネル７が内蔵されている。なお、処理部４２、及び制御部４３は、発光体２内に内蔵されてもよい。
【００２０】
記憶部４１には、予め、載せ面４ａと発光面２ａとのなす角度（以下、対象角度という）に対応するＬＥＤパネル７の発光強度を示す発光強度情報４１ａが格納されている。発光強度情報４１ａに記憶された発光強度は、対象角度が直角より小さくなるに連れてＬＥＤパネル７の発光強度が小さくなり、対象角度が直角に近づくに連れてＬＥＤパネル７の発光強度が大きくなるものである。対象角度が直角を越える場合、ＬＥＤパネル７の発光強度はゼロであり、ＬＥＤパネル７は発光しない。
【００２１】
処理部４２は、記憶部４１に格納された発光強度情報４１ａに基づいて、対象角度に対応する発光強度を算出し、算出した発光強度の情報を含む発光強度信号を制御部４３に送信する。対象角度は、例えば、載せ面４ａが水平面上にあるとき、３軸加速度センサ６により検出された発光面２ａの傾斜角度が対象角度となるので、処理部４２は、この傾斜角度に対応する発光強度の情報を含む発光強度信号を制御部４３に送信する。
【００２２】
制御部４３は、処理部４２から送信された発光強度信号を受信し、受信した発光強度信号の情報に基づいてＬＥＤパネル７の発光強度を制御する。従って、ＬＥＤパネル７の発光強度は、対象角度が直角より小さくなるに連れて小さくするように制御され、対象角度が直角に近づくに連れて大きくなるように制御される。
【００２３】
次に、対象角度に応じたＬＥＤパネル７の発光強度について、図３を参照して説明する。ここでは、載せ面４ａが水平面上に位置するものとすると共に、この水平面上と略同じ面上であって、照明器具１の前方を発光面２ａによる被照射面とするものとし、また、発光面２ａの傾斜角度は対象角度と同一であるものとする。また、ＬＥＤパネル７の発光強度をパーセントで示し、ＬＥＤパネル７の最大発光強度を「１００％」と示し、ＬＥＤパネル７の消灯状態の発光強度を「０％」と示す。
【００２４】
照明器具１が、図３（１）に示す折り畳み状態から図３（２）（３）に示す展開状態に変化するとき、いずれの状態も載せ面４ａと発光面２ａが平行であり、対象角度は１８０度であるため、ＬＥＤパネル７の発光強度は「０％」となる。また、照明器具１が、図３（４）に示す展開状態のとき、対象角度は１３５度であるためＬＥＤパネル７の発光強度は「０％」となる。
【００２５】
また、照明器具１が、図３（５）に示す展開状態のとき、載せ面４ａと発光面２ａとが垂直であり、対象角度は９０度（直角）であるためＬＥＤパネル７の発光強度は「１００％」となる。また、照明器具１が、図３（６）に示す展開状態のとき、対象角度は４５度であるためＬＥＤパネル７の発光強度は「５０％」となる。照明器具１が、図３（７）に示す展開状態のとき、載せ面４ａと発光面２ａとが平行であり、対象角度は０度であるためＬＥＤパネル７の発光強度は「０％」となる。
【００２６】
次に、ＬＥＤパネル７の発光強度と被照射面の照度との関係について、図４（ａ）（ｂ）を参照して説明する。図４（ａ）（ｂ）は、それぞれ照明器具１を用いて、書面Ｂ１、Ｂ２上を照射する場合を示す。ここでは、書面Ｂ１は、書面Ｂ２よりもサイズの小さい書面であるものとする。また、載せ面４ａは水平面上に位置すると共に、この水平面上と略同じ面上であって、照明器具１の前方を発光面２ａによる被照射面とするものとする。
【００２７】
図４（ａ）に示すように、書面Ｂ１に対して光を照射するとき、照明器具１は、載せ面４ａに対して発光面２ａが鋭角になるような状態で使用されることにより、書面Ｂ１上の被照射面Ｌ１に光を照射する。このとき、対象角度が鋭角となるため、ＬＥＤパネル７の発光強度が小さくなる。
【００２８】
一方、図４（ｂ）に示すように、書面Ｂ２に対して光を照射するとき、照明器具１は、載せ面４ａに対して発光面２ａを鉛直方向に立てて使用されることにより、書面Ｂ２上の被照射面Ｌ２に光を照射する。このとき、対象角度が直角となるため、ＬＥＤパネル７の発光強度が最大となる。
【００２９】
後者の状態では、発光面２ａから書面Ｂ２までの距離は、前者の状態の発光面２ａから書面Ｂ１までの距離よりも長いが、ＬＥＤパネル７の発光強度が高いので、前者の状態の被照射面Ｌ１と後者の状態の被照射面Ｌ２とは、略同一の照度となる。
【００３０】
次に、３軸加速度センサ（以下、センサという）６の構造について、図５を参照して説明する。センサ６は、結晶に対して機械的な外力が与えられることにより結晶格子に歪みが生じ、半導体中のキャリア数やキャリア移動度が変化して抵抗値が変化するというピエゾ抵抗効果を利用したものである。また、センサ６は、Ｘ軸、Ｙ軸、及びＺ軸のそれぞれの軸方向に関して、運動加速度成分から重力加速度成分を差し引いた成分を測定する慣性センサである。
【００３１】
センサ６は、１２個のピエゾ抵抗素子６１と、センサ構造体６２とを備える。センサ構造体６２は、シリコン等の母材をドライエッチングすることにより形成された方形枠状の支持部６２ａと、方形枠状の支持部６２ａの内部に配置される錘部６２ｂと、支持部６２ａ及び錘部６２ｂを連結する薄肉の梁部６２ｃとを有する。
【００３２】
ピエゾ抵抗素子６１は、梁部６２ｃの上に設置され、錘部６２ｂが加速度に応じて可動することにより梁部６２ｃが変形されてピエゾ抵抗素子６１に応力が与えられるものである。具体的には、センサ６が内蔵された発光体２（図１参照）に傾き力が与えられると、その傾き力の傾き方向に応じて錘部６２ｂがＸ軸、Ｙ軸、及びＺ軸（以下、３軸という）の方向に変位することにより梁部６２ｃが変形される。そして、梁部６２ｃの変形度合いに応じた力（以下、応力という）がピエゾ抵抗素子６１に与えられる。この応力によってピエゾ抵抗素子６１の抵抗値が変化するので、これらの抵抗値変化、つまり、加速度に比例した信号を検出することにより、センサ６は発光面２ａの傾斜角度を検出することができる。
【００３３】
ピエゾ抵抗素子６１の加速度に比例した信号は、１２個のピエゾ抵抗素子６１のうち、３軸の各軸に対して４つのピエゾ抵抗素子６１を用いてホイートストンブリッジ回路を構成する。そして、応力が与えられたピエゾ抵抗素子６１の抵抗値の変化を電圧の変化として検出することによって検出される。
【００３４】
次に、センサ６による傾斜角度の検出動作の具体例について、図６、及び図７を参照して説明する。図６は、センサ６が上記図５に示すＸ軸方向、及びＹ軸方向に変位したときの動作を示し、図７は、センサ６が上記図５に示すＺ軸方向に変位したときの動作を示す。図６及び図７中の符号ｈは、水平面を示す。
【００３５】
図６に示すように、錘部６２ｂがＸ軸及びＹ軸方向に変位すると、梁部６２ｃ１上のピエゾ抵抗素子６１ａには引っ張り応力が働くので、ピエゾ抵抗素子６１ａの抵抗値が増加する。そして、梁部６２ｃ１上のピエゾ抵抗素子６１ｂには圧縮応力が働くので、ピエゾ抵抗素子６１ｂの抵抗値は減少する。また、梁部６２ｃ２上のピエゾ抵抗素子６１ｃには引っ張り応力が働くので、ピエゾ抵抗素子６１ｃの抵抗値が増加し、梁部６２ｃ２上のピエゾ抵抗素子６１ｄには圧縮応力が働くので、ピエゾ抵抗素子６１ｄの抵抗値は減少する。
【００３６】
このように、錘部６２ｂが、Ｘ軸及びＹ軸方向に変位すると、ピエゾ抵抗素子６１ａ及びピエゾ抵抗素子６１ｃと、ピエゾ抵抗素子６１ｂ及びピエゾ抵抗素子６１ｄとの抵抗値には、相反する変化が生じる。
【００３７】
次に、図７に示すように、錘部６２ｂがＺ軸方向に変位すると、梁部６２ｃ１上のピエゾ抵抗素子６１ａには圧縮応力が働くので、ピエゾ抵抗素子６１ａの抵抗値が減少する。そして、梁部６２ｃ１上のピエゾ抵抗素子６１ｂには引っ張り応力が働くので、ピエゾ抵抗素子６１ｂの抵抗値は増加する。また、梁部６２ｃ２上のピエゾ抵抗素子６１ｃには引っ張り応力が働くので、ピエゾ抵抗素子６１ｃの抵抗値が増加し、梁部６２ｃ２上のピエゾ抵抗素子６１ｄには圧縮応力が働くので、ピエゾ抵抗素子６１ｄの抵抗値は減少する。
【００３８】
このように、錘部６２ｂがＺ軸方向に変位すると、ピエゾ抵抗素子６１ａ及びピエゾ抵抗素子６１ｃと、ピエゾ抵抗素子６１ｂ及びピエゾ抵抗素子６１ｄとの抵抗値には、相反する変化が生じる。従って、センサ６は、３軸のそれぞれの軸が鉛直軸から角度θだけ傾いている場合、求める成分はｃｏｓθ倍となるので、３軸のそれぞれの重力加速度検出値に基づいて、各々の軸が鉛直軸から傾いている角度を求めることにより発光面２ａ（図１参照）の傾斜角度を検出することができる。
【００３９】
次に、センサ６によって検出された傾斜角度の表現方法について、図８を参照して説明する。傾斜角度の表現方法としては、一般的に、鉛直軸に対する傾斜角度を表現することが適している。例えば、傾斜前のセンサ６のＺ軸が鉛直軸と一致しており、傾斜後のセンサ６の各軸を、Ａｘ軸、Ａｙ軸、及びＡｚ軸とする場合を考える。この場合、センサ６によって検出された傾斜角度は、図８に示すように、Ｘ軸からの角度を「鉛直軸Ｚからの角度θｘ」、及びＹ軸からの角度を「鉛直軸Ｚからの角度θｙ」と表現できる。しかし、水平面上のＸ軸、及びＹ軸を用いて「Ｘ軸からの角度α」、及び「Ｙ軸からの角度β」と表現する方が実用的である。なお、角度α及び角度βは、水平面より上向きを正とする。
【００４０】
従って、センサ６によって検出された傾斜角度の表現方法としては、Ｘ軸及びＹ軸については水平面からの角度α及び角度βを用い、Ｚ軸については鉛直軸Ｚからの角度θｚを用いることが適している。このような傾斜角度の表現方法によれば、センサ６が傾斜していない状態、つまり、Ｚ軸と鉛直軸とが一致している状態のとき、角度α、角度β、及び角度θｚのそれぞれはゼロと表現される。
【００４１】
照明器具１を用いて紙面を照射するとき、照射される紙面は、照明器具１の本体４の載せ面４ａとほぼ平行な姿勢であることが多い。そのため、基準線となるＸ軸及びＹ軸を水平面上とするよりも、照明器具１の載せ面４ａと平行な面上とすることが適している。このとき、傾斜前のセンサ６のＺ軸が、載せ面４ａと平行な面に対して直角となる軸に一致している。
【００４２】
従って、センサ６によって検出された傾斜角度の表現方法としては、Ｘ軸及びＹ軸方向については載せ面４ａと平行な面からの角度α及び角度βを用い、Ｚ軸については鉛直軸Ｚからの角度θｚを用いることが適している。このような傾斜角度の表現方法によれば、センサ６が載せ面４ａと平行な状態、つまり、Ｚ軸が載せ面４ａと平行な面に対して直角となる軸に一致しているとき、角度α、角度β、及び角度θｚのそれぞれはゼロと表現される。なお、角度α及び角度βは、載せ面４ａより上向きを正とする。
【００４３】
次に、発光体２に内蔵されるセンサ６の姿勢の一例について、図９を参照して説明する。図９に示すように、センサ６は、Ｘ軸及びＹ軸を水平面上とし、Ｚ軸を鉛直軸と一致する姿勢で内蔵することができる。従って、載せ面４ａが水平面上に位置する場合、センサ６によって検出された発光面２ａの傾斜角度は対象角度となり、検出された傾斜角度に基づいてＬＥＤパネル７の発光強度が制御される。
【００４４】
上述したように、本実施形態に係る照明器具１においては、対象角度が直角より小さくなるに連れてＬＥＤパネル７の発光強度が小さくなるので、載せ面２ａと略同じ面上であって、照明器具１の前方を発光面２ａによる被照射面としたとき、発光面２ａから被照射面までの距離が近づくに連れて発光面２ａの発光強度が小さくなる。従って、発光面２ａから被照射面までの距離に関わらず被照射面上の照度を略一定に確保することができる。
【００４５】
また、被照射面上の照度を略一定に確保することができるので、使用者にとって書面等の読みつらさが緩和され、使用者の目にストレスがかかりにくくなる。また、ＬＥＤパネル７の発光強度を小さくすることができるので、発光体の消費電力を軽減させることができ、使用する電力量を節約することができる。
【００４６】
なお、本発明は、上記実施形態の構成に限られず、発明の趣旨を変更しない範囲で種々の変形が可能である。例えば、センサ６が発光面２ａのＸ軸方向の傾き角度のみを検出し、この角度に応じて制御部がＬＥＤパネル７の発光強度が制御するものであってもよい。
【００４７】
また、照明器具１の第１の軸８、及び第２の軸９の近傍に、第１の軸８、及び第２の軸９の回転角度に応じて面積が変化する接触スイッチを設けることにより、対象角度を算出するものであってもよい。
【００４８】
また、照明器具１は、本体４内にさらに３軸加速度センサを内蔵し、本体４の載せ面４ａの傾き角度と、発光体２内に内蔵された３軸加速度センサ６によって検出された傾斜角度とを用いて対象角度を算出してもよい。
【００４９】
また、照明器具１を折り畳んだ状態のままクリップ５を用いて衣服に取り付けて使用するとき、つまり、センサ６のＺ軸と、載せ面４ａと平行な面に対して直角である軸とか一致する状態のとき、発光面２ａの角度に関わらず、ＬＥＤパネル７が任意の発光強度で発光するものであってもよい。
【図面の簡単な説明】
【００５０】
【図１】（ａ）〜（ｄ）は、それぞれ本発明の一実施形態に係る折り畳み式照明器具の変化態様を示す斜視図。
【図２】上記照明器具のブロック構成図。
【図３】上記照明器具の対象角度に応じたＬＥＤパネルの発光強度を時系列に示す図。
【図４】（ａ）は上記照明器具による小さいサイズの書面を照射する状態を示す斜視図。（ｂ）は大きいサイズの書面を照射する状態を示す斜視図。
【図５】（ａ）は上記照明器具の３軸加速度センサの斜視図、（ｂ）は同センサの上面図、（ｃ）は（ｂ）のａ−ａ線断面図。
【図６】上記センサのＸ軸、及びＹ軸方向の変位動作を説明する側断面図。
【図７】上記センサのＺ軸方向の変位動作を説明する側断面図。
【図８】上記センサによって検出された傾斜角度の表現を定義するための説明図。
【図９】上記照明器具内におけるセンサの軸方向を示す説明図。
【図１０】従来の折り畳み式照明器具の発光による照射状態を説明するための斜視図。
【符号の説明】
【００５１】
１  折り畳み式照明器具
２  発光体
２ａ  発光面
３  アーム
４  本体
４ａ  載せ面
６  ３軸加速度センサ（角度検出手段）
７  ＬＥＤパネル（発光体）
４３  制御部（発光制御手段）
【図１】
2010009887.tif 000003
【図２】
2010009887.tif 000004
【図３】
2010009887.tif 000005
【図４】
2010009887.tif 000006
【図５】
2010009887.tif 000007
【図６】
2010009887.tif 000008
【図７】
2010009887.tif 000009
【図８】
2010009887.tif 000010
【図９】
2010009887.tif 000011
【図１０】
2010009887.tif 000012